(57)【要約】  移動体通信ネットワークのような、複数のネットワークノードを有するネットワークの性能を監視することが可能である。第１ネットワークノードにおいて、自身を通過する所定のデータフローについて、性能管理識別子を付加することによりタグ付けする。第２ネットワークノードにおいて、性能管理識別子を含んだデータフローに関する統計値が収集され、収集された統計値は通信ネットワークの管理ノードへ報告される。これにより、統計値を生成する第２ノード自身はデータフローの識別ができなくても、特定のタイプのユーザ機器へのデータフローのような、特定のタイプのデータフローに関する正確な統計値を集計することが可能となる。
2010537476.tif 000002
【特許請求の範囲】
【請求項１】
通信ネットワークの性能を監視する方法であって、
第１ネットワークノードにおいて、当該ノードを通過するデータフローに性能管理識別子を付加するステップと、
第２ネットワークノードにおいて、前記性能管理識別子を含んだデータフローに関する統計値を収集し、前記収集された統計値を前記通信ネットワークの管理ノードへ報告するステップと、を有することを特徴とする方法。
【請求項２】
前記性能管理識別子を付加する前記ステップが、
前記第１ネットワークノードにおいて、
前記管理ノードから、データフロー特性に関する要求を受信するステップと、
前記データフロー特性を有するデータフローを識別するステップと、
前記データフロー特性を有する前記データフローに前記性能管理識別子を付加するステップと、
を有することを特徴とする請求項１記載の方法。
【請求項３】
前記第１ネットワークノードがコアネットワークノードを含むことを特徴とする請求項１又は請求項２記載の方法。
【請求項４】
前記第２ネットワークノードが基地局を含むことを特徴とする請求項３記載の方法。
【請求項５】
前記第１ネットワークノードが基地局を含むことを特徴とする請求項１又は請求項２記載の方法。
【請求項６】
前記第２ネットワークノードがコアネットワークノードを含むことを特徴とする請求項５記載の方法。
【請求項７】
前記第１ネットワークノードがユーザ機器を含むことを特徴とする請求項１又は請求項２記載の方法。
【請求項８】
前記第２ネットワークノードが基地局を含むことを特徴とする請求項７記載の方法。
【請求項９】
前記第２ネットワークノードがコアネットワークノードを含むことを特徴とする請求項７記載の方法。
【請求項１０】
前記性能管理識別子を付加する前記ステップが、
前記第１ネットワークノードにおいて、
データフローIDに関する要求を中間ネットワークノードから受信するステップと、
前記データフローIDを有するデータフローを識別するステップと、
前記データフロー特性を有する前記データフローに前記性能管理識別子を付加するステップと、
を有することを特徴とする請求項１記載の方法。。
【請求項１１】
前記中間ネットワークノードにおいて、
前記管理ノードから、データフロー特性に関する要求を受信するステップと、
前記データフロー特性を有するデータフローを識別するステップと、
前記第１ネットワークノードに、前記フローIDに関する情報と、前記データフローIDを有するデータフローに前記性能管理識別子を付加する要求とを通知するステップと、
をさらに有することを特徴とする請求項１０記載の方法。
【請求項１２】
前記中間ネットワークノードがIMSノードであることを特徴とする請求項１０又は請求項１１記載の方法。
【請求項１３】
前記第１ネットワークノードがSGSNノードであることを特徴とする請求項１０又は請求項１１記載の方法。
【請求項１４】
前記第２ネットワークノードが基地局を含むことを特徴とする請求項１３記載の方法。
【請求項１５】
前記性能管理識別子を含んだデータフローに関する統計値を収集する前記ステップおよび前記収集した統計値を前記通信ネットワークの管理ノードへ報告する前記ステップが、複数の第２ネットワークノードの各々で実行されることを特徴とする請求項１乃至請求項１４のいずれか１項に記載の方法。
【請求項１６】
通信ネットワークにおける第１ネットワークノードの動作方法であって、
管理ノードから、データフロー特性に関する要求を受信するステップと、
前記データフロー特性を有するデータフローを識別するステップと、
前記データフロー特性を有する前記データフローに性能管理指標を付加するステップと、を有することを特徴とする方法。
【請求項１７】
前記第１ネットワークノードがコアネットワークノードであることを特徴とする請求項１６記載の方法。
【請求項１８】
前記第１ネットワークノードが基地局であることを特徴とする請求項１６記載の方法。
【請求項１９】
前記第１ネットワークノードがユーザ機器であることを特徴とする請求項１６記載の方法。
【請求項２０】
管理ノードから、データフロー特性に関する要求を受信する前記ステップが、中間ノードによって前記要求を前記管理ノードから間接的に受信するステップを有することを特徴とする請求項１６乃至請求項１９のいずれか１項に記載の方法。
【請求項２１】
通信ネットワークにおける第２ネットワークノードの動作方法であって、
性能管理指標を含んだデータフローを検出するステップと、
前記性能管理指標を含んだ前記データフローに関する統計値を収集するステップと、
前記収集した統計値を前記通信ネットワークの管理ノードへ報告するステップと、を有することを特徴とする方法。
【請求項２２】
前記第２ネットワークノードがコアネットワークノードであることを特徴とする請求項２１記載の方法。
【請求項２３】
前記第２ネットワークノードが基地局であることを特徴とする請求項２１記載の方法。
【請求項２４】
通信ネットワークにおける中間ネットワークノードの動作方法であって、
管理ノードから、所定のデータフローを識別することの要求を受信するステップと、
性能管理識別子を前記データフローに付加すべきであることを第１ネットワークノードに通知するステップと、
前記性能管理識別子を含んだデータフローに関して統計値を収集すべきであることを、少なくとも１つの第２ネットワークノードに通知するステップと、を有することを特徴とする方法。
【請求項２５】
前記中間ネットワークノードがIMSノードであることを特徴とする請求項２４記載の方法。
【請求項２６】
通信ネットワークにおける管理ノードの動作方法であって、
データフロー特性を有するデータフローに関する要求を第１ネットワークノードに送信するステップと、
第２ネットワークノードから、前記データフロー特性を有するデータフローに関して収集された統計値を受信するステップと、を有することを特徴とする方法。
【請求項２７】
前記要求を中間ノードを通じて前記第１ネットワークノードに送信するステップを有することを特徴とする請求項２６記載の方法。
【請求項２８】
通信ネットワークのためのネットワークノードであって、
管理ノード(18)から、データフロー特性に関する要求を受信し、
前記データフロー特性を有するデータフローを識別し、
前記データフロー特性を有する前記データフローに性能管理指標を付加する、ように構成されたことを特徴とするネットワークノード。
【請求項２９】
前記ネットワークノードがコアネットワークノード(14)であることを特徴とする請求項２８記載のネットワークノード。
【請求項３０】
前記ネットワークノードが基地局(12)であることを特徴とする請求項２８記載のネットワークノード。
【請求項３１】
前記ネットワークノードがユーザ機器(20)であることを特徴とする請求項２８記載のネットワークノード。
【請求項３２】
通信ネットワークのためのネットワークノードであって、
性能管理指標を含んだデータフローを検出し、
前記性能管理指標を含んだ前記データフローに関する統計値を収集し、
前記収集した統計値を前記通信ネットワークの管理ノード(18)へ報告する、ように構成されたことを特徴とするネットワークノード。
【請求項３３】
前記ネットワークノードがコアネットワークノード(14)であることを特徴とする請求項３２記載のネットワークノード。
【請求項３４】
前記ネットワークノードが基地局(12)であることを特徴とする請求項３２記載のネットワークノード。
【請求項３５】
通信ネットワークのための中間ネットワークノード(16)であって、
管理ノードから、特定のデータフローを識別することの要求を受信し、
性能管理識別子を前記データフローに付加すべきであることを第１ネットワークノードに通知し、
前記性能管理識別子を含んだデータフローに関して統計値を収集すべきであることを、少なくとも１つの第２ネットワークノードに通知する、ように構成されたことを特徴とする中間ネットワークノード。
【請求項３６】
前記中間ネットワークノード(16)がIMSノードであることを特徴とする請求項３５記載の中間ネットワークノード。
【請求項３７】
通信ネットワークのための管理ノード(18)であって、
データフロー特性を有するデータフローに関する要求を第１ネットワークノードに送信し、
第２ネットワークノードから、前記データフロー特性を有するデータフローに関して収集された統計値を受信する、ように構成されたことを特徴とする管理ノード。
【発明の詳細な説明】
【背景技術】
【０００１】
本発明はネットワーク、特には移動体通信ネットワークの性能の監視に関する。
【０００２】
移動体電気通信ネットワークのオペレータにとって、ネットワークの性能を監視可能であることは重要である。ネットワークの性能に関する情報はそのネットワークのノードで収集し、オペレータの運営・管理(O&M)システムへ報告することができる。
【０００３】
典型的な監視システムはカウンタシステムとトレース機能を含んでいる。カウンタは低解像度を有し、大量の情報を１つの数に集計する。例えば、基地局はセル内で意図せずに切断されてしまった呼(dropped call)の総数をカウントし、その結果をO&Mシステムへ報告することができる。
【０００４】
トレース機能は最高解像度を有し、例えば１つのUE又は１つの呼に関する大量の情報を記録して性能管理システムへ送信することができる。カウンタとは異なり、トレース機能は例えば特定のUEに関する呼がいつ、なぜ切断してしまったのかを捕捉することができる。問題は、トラフィックノードからO&Mシステムへ通信する必要のある情報量である。さらに、トレース機能はユーザ数に対応する（Ｎのユーザのトレースには１ユーザをトレースするための情報のＮ倍の情報を必要とする）ので、実際には１度にごく小さな割合の移動機しかトレースできず、統計的に有意な情報を与えるのに必要な多数のUEについての情報を取得するには不便である。
【０００５】
イベントに基づく統計値も収集することが可能であり、それらは解像度並びにO&Mシステムへ送信するデータ量に関して中程度である。
【０００６】
既存の監視システムにおける１つの問題は、カウンタは集計された統計値を提供するので、カウンタシステムはネットワーク全体の性能に関する情報を提供するために用いることはできても、特定のUE機種に関するネットワークの性能に関する情報を提供することができないことである。同様に、トレース機能は、信頼できる統計値を得るための、十分に多くの移動機をトレースするためには容易に用いることができず、イベントベースの統計値は、性能監視情報を提供するノードがUEの機種やサービスを区別できないので容易に用いることができない。
【発明の概要】
【０００７】
本発明の第１の見地によれば、添付の請求範囲に従ってネットワーク性能を監視する方法および、添付の請求範囲に従ってネットワーク性能を監視するように構成されたネットワークノードが提供される。
【０００８】
本発明のよりよい理解のため、例示のみを目的として、添付図面を参照する。
【図面の簡単な説明】
【０００９】
【図１】本発明の一見地に係る移動体通信ネットワークのブロック図である。
【図２】図１の移動体通信ネットワークの一部を模式的に表した図である。
【図３】図２の移動体通信ネットワークの一部を模式的に表した図である。
【図４】本発明の一見地に係る方法を説明するフローチャートである。
【図５】図２の移動体通信ネットワークの一部を模式的に表した図である。
【図６】図１の移動体通信ネットワークの一部を模式的に表した別の図である。
【発明を実施するための形態】
【００１０】
図１は、一般的な従前の移動体電気通信ネットワーク１０の一部の簡略化した形態を示す。一般論として、ネットワークは、基地局の形態をとる複数のネットワークノードを備える無線ネットワーク(RN)を含み、図１ではそのような複数の基地局の１つの基地局(BS)１２を示しているが、実際のネットワークがそのような基地局を多数含むであろうことは理解されよう。各基地局は、複数のネットワークノードを有するコアネットワーク(CN)へのコネクションを有する。図１には、コアネットワークが有する複数のネットワークノードのうち、SGSN１４を示しているが、実際のネットワークではそのようなノードがより多く含まれるであろうことが理解されよう。図１に示すネットワーク１０はまた、（IPTVサービスのような）インターネットプロトコルマルチメディアサービスを移動ユーザに配信するため、コアネットワーク内にIMS（IPマルチメディアシステム）ノード１６を含んでいる。
【００１１】
図１に示すネットワークアーキテクチャは、様々なタイプのネットワークノードを含んだ移動体通信ネットワークの単なる一例である。そのようなネットワークアーキテクチャの例は多数存在し、本発明はそのような他のネットワークアーキテクチャに対しても適用可能であることは理解されよう。
【００１２】
図示の例において、SGSN１４は運用及び管理(O&M)ノード１８へのコネクションを有し、これによりオペレータがネットワークの性能を監視することを可能にし、特に、この図示した本発明の実施形態において、オペレータが監視プロセスを制御することを可能にする。
【００１３】
ユーザ機器(UE)２０は、基地局１２のカバレージエリアに配置される。よく知られるように、UE２０は無線インタフェースを通じて基地局へのコネクションを確立することができ、また、移動体通信ネットワークを通じて他の端末機器との通信パスを確立することができる。
【００１４】
以下でより詳細に述べるように、O&Mノード１８は、必要に応じて、ユーザ機器２０、基地局１２及びSGSN１４へコマンドを送信し、またそれらからデータを受信することができる。
【００１５】
図２は、そのような移動体通信ネットワークの一部を、O&Mノード５６に接続された複数の基地局５２，５４とともに示している。図示した状況において、２つの異なるタイプのユーザ機器がネットワークで動作中である。すなわち、第１のタイプ、機種ＸであるUE５８，６０，６２と、第２のタイプ、機種ＹであるUE６４，６６である。
【００１６】
この図示した状況において、ネットワークオペレータは例えば、特定の移動機タイプの性能を一時的に（例えば一週間）測定し、端末総数の性能と比較したいと決定することができる。これは例えば、インフラストラクチャのアップグレードが全体の性能を悪化させる場合や、性能の悪化が特定の移動機タイプに関する問題に起因するかどうかをオペレータが検証する必要のある場合に有用である。
【００１７】
図３は、監視プロセスに関与するネットワークの関連部分を模式的に示したものである。具体的には、第１ネットワークノード、この場合はSGSN６８のようなコアネットワークノードと、第２ネットワークノード、この場合は基地局５２（同様のプロセスが必要な数の基地局において実施可能であることが理解される）と、O&Mノード５６を模式的に示している。
【００１８】
図４は、これら関連するノードで実施されるプロセスを図示するフローチャートである。ステップ７０で、オペレータはO&Mノード５６でコマンドを入力する。この例では、上述の通り、オペレータは２タイプのUE、つまり機種ＸのUEと機種ＹのUEの性能に関する統計値を要求する。
【００１９】
ステップ７２で、O&Mノード５６は適切な第１ノードを選択し、選択した第１ノードに適切なコマンドを送信する。選択される第１ノードは、オペレータが指定した条件について全てのネットワークフローを区別するための情報を有するネットワークノードでなければならない。従って、この場合、選択される第１ノードは、２タイプのUE、すなわち機種ＸのUEと機種ＹのUEの各々にどのネットワークが関連付けられているかに関する情報を有するネットワークでなければならない。従って、この場合、選択される第１ノード６８は、各データフローに関連付けられたIMEI（国際移動体識別番号）を判別可能であって、さらには各IMEIに関連付けられたメーカー及び機種を記憶するデータベースにアクセス可能な（SGSNといった）コアネットワークノードであってよい。
【００２０】
以下でより詳細に説明するように、第１ネットワークノード６８は、O&Mノード５６から受信したコマンドに応じて、選択されたデータフローにタグを適用する。好ましくは、個々のデータフローに標準的な方法でタグ付けすることができる。例えば、ネットワーク上で送信される各データフローは、予め定められた数の性能監視フラグビットを含むことができ、O&Mノード５６から第１ネットワークノード６８へ送信されるコマンドは、データフローが指定された条件を満たす際にはそれらフラグビットの具体的に特定された１つをセットすることを要求することができる。
【００２１】
従って、この具体例において、O&Mノード５６は、性能監視フラグビットの現在使用されていない１つである、図３でPM_Id1と示される第１ビットを選択し、この性能監視フラグビットが機種ＸのUEへの全てのデータフローに対して設定されるように要求するコマンドを第１ネットワークノード６８に送信する。また、O&Mノード５６は、性能監視フラグビットの現在使用されていない１つである、図３でPM_Id2と示される第２ビットを選択し、この性能監視フラグビットが機種ＹのUEへの全てのデータフローに対して設定されるように要求するコマンドを第１ネットワークノード６８に送信する。O&Mノード５６はさらに、性能監視フラグビットPM_Id1と機種ＸのUEとの関連付けおよび性能監視フラグビットPM_Id2と機種ＹのUEとの関連付けを記憶する。
【００２２】
ステップ７４において、第１ネットワークノード６８は１つまたは複数のコマンドをO&Mノード５６から受信する。その後、従前通り、コアネットワークノードは自身を通って第２ネットワークノード５２およびネットワーク内のアクティブなUEへ向かう一連のデータフローを受信する。図４に示すように、そのようなデータフローの１つはステップ７６で受信される。
【００２３】
ステップ７８において、コアネットワークノード６８は対応する移動機のIMEIをチェックする。そして、コアネットワークノードは、自身のIMEIテーブルを参照し、その移動機が機種Ｘか否かを判別する。移動機が機種Ｘであれば、ステップ８０において、コアネットワークノード６８は対応するフローにPM-Id1とタグ付けする。移動機が機種Ｘでなければ、処理はステップ８２へ移行する。
【００２４】
ステップ８２において、コアネットワークノード６８は、移動機が機種Ｙか否かを判別する。移動機が機種Ｙであれば、ステップ８４において、コアネットワークノード６８は対応するフローにPM-Id2とタグ付けする。その後、あるいは移動機が機種Ｙでなければ、コアネットワークノード６８はデータフローの通常の処理を継続する。
【００２５】
このタグ付けは予め指定された期間継続してもよいし、タグ付けを停止または変更するための別のコマンドが送信される時まで継続してもよい。
【００２６】
ステップ８６において、データフローが第２ネットワークノード、この場合は基地局５２で受信される。ステップ８８において、第２ネットワークノードは、データフローに関連付けられたフラグが設定されているかどうか監視する。
【００２７】
ステップ９０において、個々のタグ付けされたフローに関して統計値が累積される。従って、PM-Id1がタグ付けされた機種ＸのUEへのデータフローの全てに対して、またPM-Id2がタグ付けされた機種ＹのUEへのデータフローの全てに対して、個別の統計値が累積可能である。
【００２８】
ステップ９２において、第２ノードが２つの性能監視ファイルを生成する。このステップは予め指定された報告期間の終わりに実行されても、特定のコマンドに応答して実行されても、報告の中止を要求するコマンドが送信されるまで周期的に実行されてもよい。第１性能監視ファイルはPM-ID1がタグ付けされたデータフローに関する性能監視統計値から生成され、第２性能監視ファイルはPM-ID2がタグ付けされたデータフローに関する性能監視統計値から生成される。
【００２９】
第１ファイルは識別子PM-Id1を、第２ファイルは識別子PM-Id2を含んでいる。
【００３０】
そして、これらのファイルはO&Mシステムへ送信される。
【００３１】
あるいは、第２ノードは、上述した情報の全てを含んだ１つの性能監視ファイルのみを生成してもよい。この場合に生成される１つのファイルは、PM_Id1とPM_Id2のタグが付されたデータフローに関連する情報をO&Mシステムが分離できるような仕組みを含むべきである。
【００３２】
ステップ９４において、O&Mシステム５６は複数あるいは単数のファイルを受信し、機種ＸのUEおよび機種Ｙへのデータフローを処理しているネットワークの相対的な性能に関する推定を行うために、保存された情報を利用することが可能になる。
【００３３】
本発明の１つの例示的な実施形態では、別のネットワークノードにおいてなされたデータフローのタグ付けであって、そのネットワークノードでのみ利用可能な情報に基づいてなされたデータフローのタグ付け、によって判別されるデータフローのサブセットに基づいて、あるネットワークノードで統計値が生成されてよい。
【００３４】
この原理は他の状況にも適用可能である。例えば、図５は、図３と密接に関連する状況を示しているが、ネットワーク全体の性能と機種ＸのUEへのデータフローを処理しているネットワークの性能の比較を意図している。
【００３５】
そのため、図５に示す状況において、O&Mシステム５６はコアネットワークノード６８に、第１性能監視フラグビットPM_Id1を全てのUEへの全てのデータフローに設定し、機種ＸのUEへの全てのデータフローに第２性能監視フラグビットPM_Id2を設定することを要求するコマンドを送信する。
【００３６】
その結果、基地局５２が統計値を累積する場合、要求される比較をO&Mノード５６が行えるように、基地局５２は、全てのUEについての累積結果を含んだ１つのファイルと、機種ＸのUEのみについての結果を含んだ別のファイルとを送信する。
【００３７】
ここまで、タグ付けコマンドがSGSN又は類似のコアネットワークノードへ送信され、統計値が基地局のような無線アクセスノードで収集される状況に関して本発明を説明してきた。
【００３８】
さらに、フローのタグ付けが明示的に行われる状況、つまり、タグ付けコマンドが管理ノードから第１ネットワークノードに送信され、第１ネットワークノードが、関連するデータフローに性能管理識別子を付加する状況、に関して本発明を説明してきた。
【００３９】
しかし、他の状況においては、データフローを自身では処理しない中間ネットワークノードへタグ付けコマンドが送信されてもよい。
【００４０】
図６は、移動体通信ネットワークが、O&Mノード１０６に接続された複数の基地局１０２、１０４を有する状況を示している。この具体的な状況において、ネットワークはネットワーク内で稼働中のユーザ機器に対して少なくとも２タイプのサービス、即ち、音声サービスをUE１０８、１１０、１１２へ、移動体ＴＶサービスをUE１１４、１１６ならびに、音声サービスも受けているUE１１２へ提供している。
【００４１】
この具体的な状況において、ネットワークオペレータは例えば、移動体ＴＶサービスを受けているユーザに対するネットワークの性能を測定したいと決定することができる。前述の通り、カウンタはサービスを区別することができないため不十分であり、トレース機能は統計的にロバストなデータを得るのに十分なほど多数のユーザには容易に適用できない。
【００４２】
そのため、本発明によれば、図１に示すように、移動体ＴＶサービスに関する全てのデータフローが、例えばPM_Id1でタグ付けされるべきであることを要求するタグ付けコマンドをO&Mノード１８がIMSノード１６へ送信可能である。
【００４３】
特定のUEへのIPTVサービスの開始にあたり、そのUEはIMSノードと連絡をとり、IPTVサービスを要求する。IMSノードはデータソース、すなわちIPTVメディアサービス、GGSN、SGSNおよび場合によってはフローに関与するであろう他のノード、に連絡する。従って、IMSは、関与するノードの各々に、フローについて通知したり、個々のノードがフローをどのように処理すべきであるか（例えば、どのようにして他のＩＰパケットよりもIPTVメディアIPパケットを優先させるか）を通知したりして、フローを設定する。しかし、フロー自体（すなわち、IPTVコンテンツを搬送するIPパケット）は、IMSノードを介さずに進行する。むしろ、データフローは（GGSN、SGSNおよびRNを介して）IPTVメディアサーバからUEへの最短経路に沿って進行する。
【００４４】
そのため、O&Mノード１８からコマンドを受信するIMSノードは、IPTVフローのIPパケットに性能管理識別子でタグ付けすることができない。この場合本発明は、中間IMSノードに、関連情報を関与するノードへ送信させるために実施される。この情報はノードに、IP PDUを優先させる方法を知らせるだけでなく、１つの第１ノード（例えばSGSN１４）に、性能管理識別子PM_Id1を付加するように指示するとともに、統計値を収集できるように、この性能管理識別子を含んだフローを監視するよう少なくとも１つの第２ノードに指示する。
【００４５】
そして、関連する第２ネットワークノード、例えば基地局２０は、タグ付けされたフローに関する統計値を累積し、それら統計値をO&Mノード１８へ報告することが可能となる。
【００４６】
一般的には、タグ付けの基準が第１ネットワークノードで入手可能な任意の情報に基づくものであってよいことが理解されよう。例えば、第１ネットワークノードがコアネットワークノードである場合、タグ付け基準はとりわけ、様々なQoSクラス、様々な端末性能、又は様々な加入(subscription)に基づくことができる。
【００４７】
しかし、タグ付けコマンドが送信される第１ネットワークノードが、データフローが意図されたタグ付け基準を満たすかどうかを判定するための情報を有するノードであれば、第１ネットワークノードは基地局又は他の無線アクセスノードであってもよいことは理解されよう。例えば基地局は、データフローが特定の周波数又は拡散符号を用いて無線インタフェース上で送信されていること、あるいはデータフローが特定のセルidを有するセルへ送信されていることを示すためにデータフローにタグを適用してもよい。
【００４８】
実際、タグ付けコマンドが送信される第１ネットワークノードが、データフローが満たすかどうかを判定する情報を有するネットワーク要素であれば、第１ネットワークノードはユーザ機器自身であってもよい。例えばユーザ機器は、UEの電池寿命が特定の基準を満たしつつデータフローが送信されていることや、UEで特定の右アプリケーションが稼働している状況でデータフローが送信されていることを示すためにデータフローにタグを適用してもよい。
【００４９】
ネットワークノードとネットワーク要素のいずれが第１ネットワークノードであったとしても、タグ付けが適用されるようにタグ付けコマンドがその第１ネットワークノードへ送信される。
【００５０】
そして、統計値が第２ネットワークノードで累積される。例えば、基地局が第１ネットワークノードである場合、コアネットワークノードが第２ネットワークノードであってよい。
【００５１】
さらに、ここで説明した状況のそれぞれにおいて、統計値を累積して管理ノードへ報告する第２ノードは複数存在していてよい。従って、ある第１ネットワークノードでタグ付けが適用され、そのタグが複数の第２ネットワークノードによって読まれてもよい。そして、複数の第２ネットワークノードの各々がタグを読み、要求される測定を行い、関連する統計値を含んだファイルを構築し、それらファイルをO&Mノード１８へ送信する。
【００５２】
いずれの場合においても、タグ付けは、過大なネットワークトラフィックを必要とすることなく、データフローの特定のサブセットについて統計値を累積し、O&Mノードに報告することを可能にする。
【図１】
2010537476.tif 000003
【図２】
2010537476.tif 000004
【図３】
2010537476.tif 000005
【図４】
2010537476.tif 000006
【図５】
2010537476.tif 000007
【図６】
2010537476.tif 000008
【手続補正書】
【提出日】平成21年6月8日(2009.6.8)
【手続補正１】
【補正対象書類名】特許請求の範囲
【補正対象項目名】全文
【補正方法】変更
【補正の内容】
【特許請求の範囲】
【請求項１】
通信ネットワークの性能を監視する方法であって、
第１ネットワークノードにおいて、
前記管理ノードから、データフロー特性に関する要求を受信するステップ、又は中間ネットワークノードから、データフローＩＤに関する要求を受信するステップと、
前記第１のネットワークノードを通過するデータフローであって、前記データフロー特性又は前記データフローＩＤを有するデータフローを識別するステップと、
前記識別されたデータフローに性能管理識別子を付加するステップと、
第２ネットワークノードにおいて、前記性能管理識別子を含んだデータフローに関する統計値を収集し、前記収集された統計値を前記通信ネットワークの管理ノードへ報告するステップと、を有することを特徴とする方法。
【請求項２】
前記第１ネットワークノードがコアネットワークノードを含むことを特徴とする請求項１記載の方法。
【請求項３】
前記第２ネットワークノードが基地局を含むことを特徴とする請求項２記載の方法。
【請求項４】
前記第１ネットワークノードが基地局を含むことを特徴とする請求項１記載の方法。
【請求項５】
前記第２ネットワークノードがコアネットワークノードを含むことを特徴とする請求項４記載の方法。
【請求項６】
前記第１ネットワークノードがユーザ機器を含むことを特徴とする請求項１記載の方法。
【請求項７】
前記第２ネットワークノードが基地局を含むことを特徴とする請求項６記載の方法。
【請求項８】
前記第２ネットワークノードがコアネットワークノードを含むことを特徴とする請求項６記載の方法。
【請求項９】
前記中間ネットワークノードにおいて、
前記管理ノードから、前記データフロー特性に関する要求を受信するステップと、
前記データフロー特性を有するデータフローを識別するステップと、
前記第１ネットワークノードに、前記フローIDに関する情報と、前記データフローIDを有するデータフローに前記性能管理識別子を付加する要求とを通知するステップと、
をさらに有することを特徴とする請求項１記載の方法。
【請求項１０】
前記中間ネットワークノードがIMSノードであることを特徴とする請求項１又は請求項９記載の方法。
【請求項１１】
前記第１ネットワークノードがSGSNノードであることを特徴とする請求項１又は請求項９記載の方法。
【請求項１２】
前記第２ネットワークノードが基地局を含むことを特徴とする請求項１１記載の方法。
【請求項１３】
前記性能管理識別子を含んだデータフローに関する統計値を収集する前記ステップおよび前記収集した統計値を前記通信ネットワークの管理ノードへ報告する前記ステップが、複数の第２ネットワークノードの各々で実行されることを特徴とする請求項１乃至請求項１２のいずれか１項に記載の方法。
【請求項１４】
通信ネットワークにおける第１ネットワークノードの動作方法であって、
管理ノードから、データフロー特性に関する要求を受信するステップと、
前記データフロー特性を有するデータフローを識別するステップと、
前記データフロー特性を有する前記データフローに性能管理指標を付加するステップと、を有することを特徴とする方法。
【請求項１５】
前記第１ネットワークノードがコアネットワークノードであることを特徴とする請求項１４記載の方法。
【請求項１６】
前記第１ネットワークノードが基地局であることを特徴とする請求項１４記載の方法。
【請求項１７】
前記第１ネットワークノードがユーザ機器であることを特徴とする請求項１４記載の方法。
【請求項１８】
管理ノードから、データフロー特性に関する要求を受信する前記ステップが、中間ノードによって前記要求を前記管理ノードから間接的に受信するステップを有することを特徴とする請求項１４乃至請求項１７のいずれか１項に記載の方法。
【請求項１９】
通信ネットワークにおける第２ネットワークノードの動作方法であって、
性能管理指標を含んだデータフローを検出するステップと、
前記性能管理指標を含んだ前記データフローに関する統計値を収集するステップと、
前記収集した統計値を前記通信ネットワークの管理ノードへ報告するステップと、を有することを特徴とする方法。
【請求項２０】
前記第２ネットワークノードがコアネットワークノードであることを特徴とする請求項１９記載の方法。
【請求項２１】
前記第２ネットワークノードが基地局であることを特徴とする請求項１９記載の方法。
【請求項２２】
通信ネットワークにおける中間ネットワークノードの動作方法であって、
管理ノードから、所定のデータフローを識別することの要求を受信するステップと、
性能管理識別子を前記データフローに付加すべきであることを第１ネットワークノードに通知するステップと、
前記性能管理識別子を含んだデータフローに関して統計値を収集すべきであることを、少なくとも１つの第２ネットワークノードに通知するステップと、を有することを特徴とする方法。
【請求項２３】
前記中間ネットワークノードがIMSノードであることを特徴とする請求項２２記載の方法。
【請求項２４】
通信ネットワークにおける管理ノードの動作方法であって、
データフロー特性を有するデータフローの識別および、前記識別されたデータフローへの性能監視指標の付加に関する要求を第１ネットワークノードに送信するステップと、
第２ネットワークノードから、前記データフロー特性を有するデータフローに関して収集された統計値を受信するステップと、を有することを特徴とする方法。
【請求項２５】
前記要求を中間ノードを通じて前記第１ネットワークノードに送信するステップを有することを特徴とする請求項２４記載の方法。
【請求項２６】
通信ネットワークのためのネットワークノードであって、
管理ノード(18)から、データフロー特性に関する要求を受信し、
前記データフロー特性を有するデータフローを識別し、
前記データフロー特性を有する前記データフローに性能管理指標を付加する、ように構成されたことを特徴とするネットワークノード。
【請求項２７】
前記ネットワークノードがコアネットワークノード(14)であることを特徴とする請求項２６記載のネットワークノード。
【請求項２８】
前記ネットワークノードが基地局(12)であることを特徴とする請求項２６記載のネットワークノード。
【請求項２９】
前記ネットワークノードがユーザ機器(20)であることを特徴とする請求項２６記載のネットワークノード。
【請求項３０】
通信ネットワークのためのネットワークノードであって、
性能管理指標を含んだデータフローを検出し、
前記性能管理指標を含んだ前記データフローに関する統計値を収集し、
前記収集した統計値を前記通信ネットワークの管理ノード(18)へ報告する、ように構成されたことを特徴とするネットワークノード。
【請求項３１】
前記ネットワークノードがコアネットワークノード(14)であることを特徴とする請求項３０記載のネットワークノード。
【請求項３２】
前記ネットワークノードが基地局(12)であることを特徴とする請求項３０記載のネットワークノード。
【請求項３３】
通信ネットワークのための中間ネットワークノード(16)であって、
管理ノードから、特定のデータフローを識別することの要求を受信し、
性能管理識別子を前記データフローに付加すべきであることを第１ネットワークノードに通知し、
前記性能管理識別子を含んだデータフローに関して統計値を収集すべきであることを、少なくとも１つの第２ネットワークノードに通知する、ように構成されたことを特徴とする中間ネットワークノード。
【請求項３４】
前記中間ネットワークノード(16)がIMSノードであることを特徴とする請求項３３記載の中間ネットワークノード。
【請求項３５】
通信ネットワークのための管理ノード(18)であって、
データフロー特性を有するデータフローの識別および、前記識別されたデータフローへの性能監視指標の付加に関する要求を第１ネットワークノードに送信し、
第２ネットワークノードから、前記データフロー特性を有するデータフローに関して収集された統計値を受信する、ように構成されたことを特徴とする管理ノード。
【手続補正書】
【提出日】平成22年4月13日(2010.4.13)
【手続補正１】
【補正対象書類名】特許請求の範囲
【補正対象項目名】全文
【補正方法】変更
【補正の内容】
【特許請求の範囲】
【請求項１】
通信ネットワークの性能を監視する方法であって、
第１ネットワークノードにおいて、
管理ノードから、データフロー特性に関する要求を受信するステップ、又は中間ネットワークノードから、データフローＩＤに関する要求を受信するステップと、
前記第１のネットワークノードを通過するデータフローであって、前記データフロー特性又は前記データフローＩＤを有するデータフローを識別するステップと、
前記識別されたデータフローに性能管理識別子を付加するステップと、
第２ネットワークノードにおいて、前記性能管理識別子を含んだデータフローに関する統計値を収集し、前記収集された統計値を前記通信ネットワークの前記管理ノードへ報告するステップと、を有することを特徴とする方法。
【請求項２】
前記第１ネットワークノードがコアネットワークノードを含むことを特徴とする請求項１記載の方法。
【請求項３】
前記第２ネットワークノードが基地局を含むことを特徴とする請求項２記載の方法。
【請求項４】
前記第１ネットワークノードが基地局を含むことを特徴とする請求項１記載の方法。
【請求項５】
前記第２ネットワークノードがコアネットワークノードを含むことを特徴とする請求項４記載の方法。
【請求項６】
前記第１ネットワークノードがユーザ機器を含むことを特徴とする請求項１記載の方法。
【請求項７】
前記第２ネットワークノードが基地局を含むことを特徴とする請求項６記載の方法。
【請求項８】
前記第２ネットワークノードがコアネットワークノードを含むことを特徴とする請求項６記載の方法。
【請求項９】
前記中間ネットワークノードにおいて、
前記管理ノードから、前記データフロー特性に関する要求を受信するステップと、
前記データフロー特性を有するデータフローを識別するステップと、
前記第１ネットワークノードに、前記フローIDに関する情報と、前記データフローIDを有するデータフローに前記性能管理識別子を付加する要求とを通知するステップと、
をさらに有することを特徴とする請求項１記載の方法。
【請求項１０】
前記中間ネットワークノードがIMSノードであることを特徴とする請求項１又は請求項９記載の方法。
【請求項１１】
前記第１ネットワークノードがSGSNノードであることを特徴とする請求項１又は請求項９記載の方法。
【請求項１２】
前記第２ネットワークノードが基地局を含むことを特徴とする請求項１１記載の方法。
【請求項１３】
前記性能管理識別子を含んだデータフローに関する統計値を収集する前記ステップおよび前記収集した統計値を前記通信ネットワークの管理ノードへ報告する前記ステップが、複数の第２ネットワークノードの各々で実行されることを特徴とする請求項１乃至請求項１２のいずれか１項に記載の方法。
【請求項１４】
通信ネットワークにおける第１ネットワークノードの動作方法であって、
管理ノードから、データフロー特性に関する要求を受信するステップと、
前記データフロー特性を有するデータフローを識別するステップと、
前記データフロー特性を有する前記データフローに性能管理指標を付加するステップと、を有することを特徴とする方法。
【請求項１５】
管理ノードから、データフロー特性に関する要求を受信する前記ステップが、中間ノードによって前記要求を前記管理ノードから間接的に受信するステップを有することを特徴とする請求項１４記載の方法。
【請求項１６】
通信ネットワークにおける第２ネットワークノードの動作方法であって、
性能管理指標を含んだデータフローを検出するステップと、
前記性能管理指標を含んだ前記データフローに関する統計値を収集するステップと、
前記収集した統計値を前記通信ネットワークの管理ノードへ報告するステップと、を有することを特徴とする方法。
【請求項１７】
前記第２ネットワークノードがコアネットワークノードであることを特徴とする請求項１６記載の方法。
【請求項１８】
前記第２ネットワークノードが基地局であることを特徴とする請求項１６記載の方法。
【請求項１９】
通信ネットワークにおける中間ネットワークノードの動作方法であって、
管理ノードから、所定のデータフローを識別することの要求を受信するステップと、
性能管理識別子を前記データフローに付加すべきであることを第１ネットワークノードに通知するステップと、
前記性能管理識別子を含んだデータフローに関して統計値を収集すべきであることを、少なくとも１つの第２ネットワークノードに通知するステップと、を有することを特徴とする方法。
【請求項２０】
通信ネットワークにおける管理ノードの動作方法であって、
データフロー特性を有するデータフローの識別および、前記識別されたデータフローへの性能監視指標の付加に関する要求を第１ネットワークノードに送信するステップと、
第２ネットワークノードから、前記データフロー特性を有するデータフローに関して収集された統計値を受信するステップと、を有することを特徴とする方法。
【請求項２１】
前記要求を中間ノードを通じて前記第１ネットワークノードに送信するステップを有することを特徴とする請求項２０記載の方法。
【請求項２２】
通信ネットワークのためのネットワークノードであって、
管理ノード(18)から、データフロー特性に関する要求を受信し、
前記データフロー特性を有するデータフローを識別し、
前記データフロー特性を有する前記データフローに性能管理指標を付加する、ように構成されたことを特徴とするネットワークノード。
【請求項２３】
通信ネットワークのためのネットワークノードであって、
性能管理指標を含んだデータフローを検出し、
前記性能管理指標を含んだ前記データフローに関する統計値を収集し、
前記収集した統計値を前記通信ネットワークの管理ノード(18)へ報告する、ように構成されたことを特徴とするネットワークノード。
【請求項２４】
通信ネットワークのための中間ネットワークノード(16)であって、
管理ノードから、特定のデータフローを識別することの要求を受信し、
性能管理識別子を前記データフローに付加すべきであることを第１ネットワークノードに通知し、
前記性能管理識別子を含んだデータフローに関して統計値を収集すべきであることを、少なくとも１つの第２ネットワークノードに通知する、ように構成されたことを特徴とする中間ネットワークノード。
【請求項２５】
通信ネットワークのための管理ノード(18)であって、
データフロー特性を有するデータフローの識別および、前記識別されたデータフローへの性能監視指標の付加に関する要求を第１ネットワークノードに送信し、
第２ネットワークノードから、前記データフロー特性を有するデータフローに関して収集された統計値を受信する、ように構成されたことを特徴とする管理ノード。
【国際調査報告】
2010537476.tif 000009
2010537476.tif 000010
2010537476.tif 000011
2010537476.tif 000012